(57)【要約】      （修正有）【課題】簡単な構造で部品点数の増加もなく、的確な内部空間を確保することができ、張り替えも容易な農業用ハウスのフィルム二重張り扉を提供する。【解決手段】ハンガータイプのフィルム二重張り扉２は、引き戸本体１０を構成する縦枠部材１１，１２、横枠部材１３，１４及び桟部材１５，１６が、いずれも、正面及び背面に溝開口幅に対して溝底幅の方が大きい断面形状の凹溝が各部材の長さ方向に形成されたアルミ型材で構成されている。突き合わせ側の縦枠部材１２の正面側に取り付けられる取っ手は、断面クランク状の金属板の浮き上がり部から直立し、当該金属板の基部の裏面を縦枠部材１２の正面に接触させてネジ止め固定する。【選択図】図３
0003153560.tif 000002
【実用新案登録請求の範囲】
【請求項１】
左右の縦枠部材と、上下の横枠部材とによって構成される矩形状の枠体内に、複数の桟部材をほぼ等間隔で水平に取り付けてなる引き戸本体の正面及び背面にフィルムを張設した引き戸タイプの扉であって、以下の構成を採用したことを特徴とする農業用ハウスのフィルム二重張り扉。
（１）前記引き戸本体を構成する縦枠部材、横枠部材及び桟部材は、いずれも、正面及び背面に、溝開口幅に対して溝底幅の方が大きい断面形状の凹溝が、各部材の長さ方向に形成されたアルミ型材で構成されていること。
（２）前記引き戸本体の正面及び背面には、それぞれ矩形状のフィルムが、前記縦枠部材、横枠部材及び桟部材の各凹溝内に一部を押し込むと共に線状スプリングを各凹溝に嵌め込んで固定されていること。
【請求項２】
さらに、以下の構成をも備えていることを特徴とする請求項１記載の農業用ハウスのフィルム二重張り扉。
（３）前記左右の縦枠部材の一方の正面側に、当該縦枠部材の凹溝の溝開口の側方外側の正面に取っ手が取り付けられていること。
（４）前記取っ手は、基部と該基部に対して所定距離をあけて平行に形成される浮き上がり部とを備える断面クランク状の金属板の該浮き上がり部から直立する構造とされ、当該取っ手が取り付けられる縦枠部材の凹溝側に浮き上がり部が位置すると共に、前記基部の裏面を前記縦枠部材の正面に接触させてネジ止め固定されていること。
【請求項３】
左右の縦枠部材と、上下の横枠部材とによって構成される矩形状の枠体内に、複数の桟部材をほぼ等間隔で水平に取り付けてなる引き戸本体の正面及び背面にフィルムを張設した引き戸タイプの扉であって、以下の構成を採用したことを特徴とする農業用ハウスのフィルム二重張り扉。
（１１）左右２枚の引き戸本体をペアとして農業用ハウスの出入り口に取り付けられること。
（１２）前記ペアのそれぞれの引き戸本体は、前記縦枠部材、横枠部材及び桟部材として、いずれも、正面及び背面に、溝開口幅に対して溝底幅の方が大きい断面形状の凹溝が、各部材の長さ方向に形成されたアルミ型材を用いていること。
（１３）前記各引き戸本体の正面及び背面には、それぞれ扉の面積に応じて切り取られた矩形状のフィルムが、前記縦枠部材、横枠部材及び桟部材の各凹溝内に一部を押し込むと共に線状スプリングを各凹溝に嵌め込んで固定されていること。
（１４）前記各引き戸本体は、突き合わせ側の縦枠部材の正面側に、当該縦枠部材の凹溝の溝開口の側方外側の正面に取っ手が取り付けられていること。
（１５）前記取っ手は、基部と該基部に対して所定距離をあけて平行に形成される浮き上がり部とを備える断面クランク状の金属板の該浮き上がり部から直立する構造とされ、当該取っ手が取り付けられる縦枠部材の凹溝側に浮き上がり部が位置すると共に、前記基部の裏面を前記縦枠部材の正面に接触させてネジ止め固定されていること。
（１６）前記各引き戸本体の取っ手と反対側の縦枠部材には、当該縦枠部材の凹溝に嵌り込む様に取り付けられ、正面に向かって伸びるフィンを備えた隙間ガードが縦枠部材の全長に渡って取り付けられていること。
（１７）上部の横枠部材に逆Ｌ字状レール部が形成され、該逆Ｌ字状レール部の上面に戸車がボルトで上下位置調整可能に取り付けられたハンガードアであること。
【考案の詳細な説明】
【技術分野】
【０００１】
本考案は、農業用ハウスの出入り口扉に係り、特に、フィルムを二重張りにした扉にかんする。
【背景技術】
【０００２】
従来、農業用ハウスの保温性能を高めるために屋根や壁のフィルムを二重張りにする方法が種々提案されており、出入り口扉についてもフィルム二重張り構造とする提案がある（特許文献１）。
【０００３】
図１１に示す様に、この特許文献１の扉４は、左右２本の縦枠２００と上下２本の横枠２１０とからなる枠体内に複数の桟体２２０を上下方向に所定間隔をあけて水平に取付けて構成され、外側面は縦枠２００及び桟体２２０の凹部に線状スプリング２３ａを嵌め込んでフィルム３２を張設し、内側面については縦枠２００の溝孔部２０４に嵌り込むフィルム押さえ板５００でフィルム３１を張設する構造となっている。
【特許文献１】特開２００８−５７９９号公報
【考案の概要】
【考案が解決しようとする課題】
【０００４】
特許文献１によれば、扉をフィルム二重張り構造とすることができる。しかし、外面側のフィルム３２と内面側のフィルム３１の張り方が相違し、専用のフィルム押さえ板５００を必要とするなど、構造が複雑で部品点数が増加するという問題がある。また、内側面のフィルム３１は縦枠２００で縁が支持されただけなので、フィルム中央部分で外面側のフィルムと接して潰れた状態となり、二重張り構造の内部空間を的確に確保できない状態になり易いという問題もある。
【０００５】
本考案は、農業用ハウスに用いる扉であって、簡単な構造で部品点数の増加もなく、的確な内部空間を確保することができ、張り替えも容易なフィルム二重張り扉を提供することを目的とする。
【課題を解決するための手段】
【０００６】
上記目的を達成するためになされた本考案の農業用ハウスのフィルム二重張り扉は、左右の縦枠部材と、上下の横枠部材とによって構成される矩形状の枠体内に、複数の桟部材をほぼ等間隔で水平に取り付けてなる引き戸本体の正面及び背面にフィルムを張設した引き戸タイプの扉であって、以下の構成を採用したことを特徴とする。
【０００７】
（１）前記引き戸本体を構成する縦枠部材、横枠部材及び桟部材は、いずれも、正面及び背面に、溝開口幅に対して溝底幅の方が大きい断面形状の凹溝が、各部材の長さ方向に形成されたアルミ型材で構成されていること。
【０００８】
（２）前記引き戸本体の正面及び背面には、それぞれ矩形状のフィルムが、前記縦枠部材、横枠部材及び桟部材の各凹溝内に一部を押し込むと共に線状スプリングを各凹溝に嵌め込んで固定されていること。
【０００９】
本考案のフィルム二重張り扉によれば、縦枠部材、横枠部材及び桟部材は、いずれも、正面及び背面に凹溝を備えたアルミ型材で構成され、各凹溝に線状スプリングを嵌め込んで正面フィルム及び背面フィルムを扉に固定するので、フィルムの固定方法が正面も背面も同じで作業性がよく、部品も共通部品で構成することができる。また、正面も背面も桟部材に対して線状スプリングで固定されることにより、正面と背面のフィルムの間には確実に空間を確保することができる。
【００１０】
ここで、本考案の農業用ハウスのフィルム二重張り扉は、さらに、以下の構成をも備えるとよい。
【００１１】
（３）前記左右の縦枠部材の一方の正面側に、当該縦枠部材の凹溝の溝開口の側方外側の正面に取っ手が取り付けられていること。
【００１２】
（４）前記取っ手は、基部と該基部に対して所定距離をあけて平行に形成される浮き上がり部とを備える断面クランク状の金属板の該浮き上がり部から直立する構造とされ、当該取っ手が取り付けられる縦枠部材の凹溝側に浮き上がり部が位置すると共に、前記基部の裏面を前記縦枠部材の正面に接触させてネジ止め固定されていること。
【００１３】
かかる構成をも備えることにより、扉の開閉のための取っ手が左右一方の縦枠部材に取り付けられていても、この取っ手の部分の金属板は縦枠部材の正面から浮いた部分を備えているので、正面側のフィルムの端はこの浮いた部分に逃がす様にして固定することができる。従って、開閉用の取っ手を備えていても、正面側のフィルムの着脱に際して線状スプリングを容易に着脱することができる。従って、フィルムを張ったり取り換えたりする際に取っ手を取り外す必要もない。
【００１４】
また、上記目的を達成するためになされた本考案の農業用ハウスのフィルム二重張り扉は、左右の縦枠部材と、上下の横枠部材とによって構成される矩形状の枠体内に、複数の桟部材をほぼ等間隔で水平に取り付けてなる引き戸本体の正面及び背面にフィルムを張設した引き戸タイプの扉であって、以下の構成を採用したことを特徴とする。
【００１５】
（１１）左右２枚の引き戸本体をペアとして農業用ハウスの出入り口に取り付けられること。
【００１６】
（１２）前記ペアのそれぞれの引き戸本体は、前記縦枠部材、横枠部材及び桟部材として、いずれも、正面及び背面に、溝開口幅に対して溝底幅の方が大きい断面形状の凹溝が、各部材の長さ方向に形成されたアルミ型材を用いていること。
【００１７】
（１３）前記各引き戸本体の正面及び背面には、それぞれ扉の面積に応じて切り取られた矩形状のフィルムが、前記縦枠部材、横枠部材及び桟部材の各凹溝内に一部を押し込むと共に線状スプリングを各凹溝に嵌め込んで固定されていること。
【００１８】
（１４）前記各引き戸本体は、突き合わせ側の縦枠部材の正面側に、当該縦枠部材の凹溝の溝開口の側方外側の正面に取っ手が取り付けられていること。
【００１９】
（１５）前記取っ手は、基部と該基部に対して所定距離をあけて平行に形成される浮き上がり部とを備える断面クランク状の金属板の該浮き上がり部から直立する構造とされ、当該取っ手が取り付けられる縦枠部材の凹溝側に浮き上がり部が位置すると共に、前記基部の裏面を前記縦枠部材の正面に接触させてネジ止め固定されていること。
【００２０】
（１６）前記各引き戸本体の取っ手と反対側の縦枠部材には、当該縦枠部材の凹溝に嵌り込む様に取り付けられ、正面に向かって伸びるフィンを備えた隙間ガードが縦枠部材の全長に渡って取り付けられていること。
【００２１】
（１７）上部の横枠部材に逆Ｌ字状レール部が形成され、該逆Ｌ字状レール部の上面に戸車がボルトで上下位置調整可能に取り付けられたハンガードアであること。
【００２２】
このフィルム二重張り扉によれば、上述した作用に加えて、扉を閉じたときに隙間がなくなる。
【考案の効果】
【００２３】
本考案によれば、簡単な構造で部品点数の増加もなく、的確な内部空間を確保することができ、張り替えも容易な農業用ハウスのフィルム二重張り扉を提供することができる。
【図面の簡単な説明】
【００２４】
【図１】実施例１としての農業用フィルムハウスの正面図である。
【図２】実施例１における向かって左側のフィルム二重張り扉を示し、（Ａ）は正面図、（Ｂ）は右側面図である。
【図３】実施例１における向かって左側のフィルム二重張り扉を示し、（Ａ）は背面図、（Ｂ）は左側面図である。
【図４】実施例１における向かって左側のフィルム二重張り扉の枠部材の断面形状を示す説明図である。
【図５】実施例１における縦枠部材を長さを省略して示し、（Ａ）は平面図、（Ｂ）は左側面図、（Ｃ）は正面図、（Ｄ）は右側面図、（Ｅ）は拡大断面図である。
【図６】実施例１における上の横枠部材を長さを省略して示し、（Ａ）は平面図、（Ｂ）は正面図、（Ｃ）は背面図、（Ｄ）は底面図、（Ｅ）は右側面図、（Ｆ）は拡大断面図である。
【図７】実施例１における下の横枠部材を長さを省略して示し、（Ａ）は平面図、（Ｂ）は正面図、（Ｃ）は底面図、（Ｄ）は右側面図、（Ｅ）は拡大断面図である。
【図８】実施例１における下の桟部材を長さを省略して示し、（Ａ）は平面図、（Ｂ）は正面図、（Ｃ）は右側面図、（Ｄ）は拡大断面図である。
【図９】実施例１における取っ手及び戸車の取り付け状態を示す説明図である。
【図１０】実施例１における枠体の組立状態を示す説明図である。
【図１１】従来技術の説明図である。
【考案を実施するための形態】
【００２５】
以下に、本考案の農業用ハウスのフィルム二重張り扉の実施形態を実施例に基づいて説明する。
【実施例１】
【００２６】
次に、本考案の実施例１について説明する。実施例１は、図１に示す様に、農業用のフィルムハウス１の妻面の出入り口に左右２枚をペアとして取り付けられるフィルム二重張り扉２，３である。以下、向かって左側に取り付けられる方のフィルム二重張り扉２を中心に説明する。
【００２７】
このフィルム二重張り扉２は、図２〜図４に示す様に、左右の縦枠部材１１，１２と、上下の横枠部材１３，１４とによって構成される矩形状の枠体内に、２本の桟部材１５，１６をほぼ等間隔で水平に取り付けてなる引き戸本体１０の正面及び背面にフィルム２１，２２を張設した引き戸タイプの扉である。
【００２８】
この引き戸本体１０を構成する縦枠部材１１，１２、横枠部材１３，１４及び桟部材１５，１６は、いずれも、正面及び背面に溝開口幅に対して溝底幅の方が大きい断面形状の凹溝３１が、各部材の長さ方向に形成されたアルミ型材で構成されている。
【００２９】
ここで、縦枠部材１１，１２は、図５に示す様に、背中合わせに形成された凹溝３１，３１の中央同士が、長手方向に伸びる帯状に一体形成されたリブ４１で連結され、内部に二つの空洞４２，４３を備えた断面形状を呈している。そして、一方の側面４４には横枠部材１３，１４、桟部材１５，１６を受け入れる幅で突出するフランジ４５，４５が長手方向に沿って一体形成されると共に、当該側面の中心に長手方向に沿って連続するＶ溝４６が形成されている。また、他方の側面４７の中心にも、長手方向に沿って連続するＶ溝４８が形成されている。さらに、正面４９及び背面５０には、長手方向に沿って表面から窪む状態のチャンネル溝５１，５１も一体形成されている。このチャンネル溝５１，５１は、入口が狭くなる様に張り出し５２，５２を備え、上述の他方の側面４７よりも外に若干はみ出す大きさとなっている。
【００３０】
上の横枠部材１３は、図６に示す様に、背中合わせに形成された凹溝３１，３１の中央同士が、長手方向に伸びる帯状に一体形成されたリブ６１で連結され、内部に二つの空洞６２，６２を備えた断面形状を呈している。各空洞６２，６２の下面中央及び上面中央には、組み立て用のネジを螺合するＣ形溝６３，６３が内向き開口の状態で長手方向に沿って一体形成されている。また、上部には、戸車取り付け用の逆Ｌ字状レール部６４が背面側に開口６５が向く様に一体形成されている。この逆Ｌ字状レール部６４の上面６６中心には、長手方向に沿って連続するＶ溝６７が形成されている。また、開口６５の上部は上面６６の端を下方に若干折り曲げた状態の張り出し６８が形成されている。
【００３１】
下の横枠部材１４は、図７に示す様に、背中合わせに形成された凹溝３１，３１の中央同士が、長手方向に伸びる帯状に一体形成されたリブ７１で連結され、内部に二つの空洞７２，７２を備えた断面形状を呈している。各空洞７２，７２の下面中央及び上面中央には、組み立て用のネジを螺合するＣ形溝７３，７３が内向き開口の状態で長手方向に沿って一体形成されている。また、下部には、正面壁及び背面壁を下方に延長したスカート部７４，７４が一体形成されている。このスカート部７４，７４の間の下部空間７５は、引き戸レールを受け入れるガイドの役割を果たす。
【００３２】
桟部材１５，１６は、図８に示す様に、背中合わせに形成された凹溝３１，３１の中央同士が、長手方向に伸びる帯状に一体形成されたリブ８１で連結され、内部に二つの空洞８２，８２を備えた断面形状を呈している。各空洞８２，８２の下面中央及び上面中央には、組み立て用のネジを螺合するＣ形溝８３，８３が内向き開口の状態で長手方向に沿って一体形成されている。
【００３３】
図２，図３に示す様に、引き戸本体１０の正面及び背面には、それぞれ扉の面積に応じて切り取られた矩形状のフィルム２１，２２が、縦枠部材１１，１２、横枠部材１３，１４及び桟部材１５，１６の各凹溝３１内に一部を押し込むと共に線状スプリング９１を各凹溝３１に嵌め込んで固定される。
【００３４】
また、引き戸本体１０は、突き合わせ側の縦枠部材１２の正面側に、当該縦枠部材１２のチャンネル溝５１を利用して取っ手１００が取り付けられている。この取っ手１００は、図９に拡大して示す様に、基部１１１と、基部１１１に対して所定距離をあけて平行に形成される浮き上がり部１１２とを備える断面クランク状の金属板１１０の正面側から直立する構造とされ、縦枠部材１２の凹溝３１側に浮き上がり部１１２が位置すると共に、当該浮き上がり部１１２の自由端側の縁が凹溝３１に重ならない様に、金属板１１０を縦枠部材１２のチャンネル溝５１に対してボルト・ナットで固定することによって取り付けられている。より詳しくは、取っ手１００は、断面クランク状の金属板１１０の浮き上がり部１１２から直立した状態に取り付けられ、当該金属板１１０の基部１１１の裏面を縦枠部材１２の正面４９に接触させ、チャンネル溝５１に頭を嵌り込ませたボルト又はネジとナットとを用いて固定されているのである。
【００３５】
また、図２に示す様に、引き戸本体１０の取っ手１００と反対側の縦枠部材１１には、当該縦枠部材１１の凹溝３１に嵌り込む様に取り付けられ、正面に向かって伸びるフィン１２１を備えた隙間ガード１２０が縦枠部材１１の全長に渡って取り付けられている。この隙間ガード１２０は凹溝３１内において、線状スプリング９１でフィルム２１と共に挟み付けられて固定されている。
【００３６】
さらに、図９に示す様に、上部の横枠部材１３の逆Ｌ字状レール部６４の上面に、戸車１３０が軸の長いボルト１３１と座付きナット１３２と正方形プレート１３３とによって、上下位置調整可能に取り付けられたハンガードアになっている。正方形プレート１３３は、ボルト１３１に螺合するネジ溝が切られており、大きさが逆Ｌ字状レール部６４の奥行きよりも若干小さいものとなっており、開口６５から挿入することができ、張り出し６７と正面壁との間に収まった状態となる。
【００３７】
また、枠体１０の組立方法は、アルミサッシと同様である。図１０に示す様に、縦枠部材１１，１２のフランジ４５，４５の間に横枠部材１３，１４及び桟部材１５，１６を組み込み、これら横枠部材１３，１４及び桟部材１５，１６のＣ形溝６３，７３，８３の位置に合わせて側壁４７及びリブ４１に円孔１４１，１４２をくり抜き、ビス１４３をＣ形溝６３，７３，８３の中心に螺合させ、最後に合成樹脂製のキャップ１４０で塞ぐ方法をとっている。
【００３８】
実施例１のフィルム二重張り扉によれば、縦枠部材１１，１２、横枠部材１３，１４及び桟部材１５，１６は、いずれも、正面及び背面に凹溝３１を備えたアルミ型材で構成され、各凹溝３１に線状スプリング９１を嵌め込んで正面フィルム２１及び背面フィルム２２を扉に固定するので、フィルムの固定方法が正面も背面も同じで作業性がよく、部品も共通部品で構成することができる。また、正面も背面も桟部材１５，１６に対して線状スプリング９１で固定されることにより、正面と背面のフィルム２１，２２の間には確実に空間を確保することができる。
【００３９】
また、扉の開閉のための取っ手１００が左右一方の縦枠部材に取り付けられていても、この取っ手１００の部分の金属板１１０は縦枠部材１２の正面壁４９から浮いた部分を備えているので、正面側のフィルム２１の端はこの浮いた部分に逃がす様にして固定することができる。従って、開閉用の取っ手１００を備えていても、正面側のフィルム２１の着脱に際して線状スプリング９１を容易に着脱することができる。従って、フィルム２１を張ったり取り換えたりする際に取っ手１００を取り外す必要もない。加えて、取っ手１００自体の取り付け作業も容易で、扉の組立工数を低減することができる。
【００４０】
さらに、隙間ガード１２０が縦枠部材１１の全長に渡って取り付けられているから、扉を閉じたときに隙間がない。
【００４１】
そして、実施例１によれば、簡単な構造で部品点数の増加もなく、的確な内部空間を確保することができ、張り替えも容易な農業用ハウスのフィルム二重張り扉を提供することができる。
【００４２】
以上、本考案の一実施例について説明したが、本考案はこの実施例に限られるものではなく、その要旨を逸脱しない範囲内においてさらに種々の形態を採用することができることはもちろんである。
【産業上の利用可能性】
【００４３】
農業用ハウスの出入り口扉として利用することができ、保温効果を高めることができる。
【符号の説明】
【００４４】
１・・・農業用のフィルムハウス
２，３・・・フィルム二重張り扉
１０・・・引き戸本体
１１，１２・・・縦枠部材
１３，１４・・・横枠部材
１５，１６・・・桟部材
２１，２２・・・フィルム
３１・・・凹溝
４１・・・リブ
４２，４３・・・空洞
４４・・・一方の側面
４５・・・フランジ
４６・・・Ｖ溝
４７・・・他方の側面
４８・・・Ｖ溝
４９・・・正面
５０・・・背面
５１・・・チャンネル溝
５２・・・張り出し
６１・・・リブ
６２・・・空洞
６３・・・Ｃ形溝
６４・・・逆Ｌ字状レール部
６５・・・開口
６６・・・上面
６７・・・Ｖ溝
６８・・・張り出し
７１・・・リブ
７２・・・空洞
７３・・・Ｃ形溝
７４・・・スカート部
７５・・・下部空間
８１・・・リブ
８２・・・空洞
８３・・・Ｃ形溝
９１・・・線状スプリング
１００・・・取っ手
１１１・・・基部
１１２・・・浮き上がり部
１１０・・・クランク状の金属板
１２１・・・フィン
１２０・・・隙間ガード
１３０・・・戸車
１３１・・・軸の長いボルト
１３２・・・座付きナット
１３３・・・正方形プレート
１４０・・・キャップ
１４１，１４２・・・円孔
１４３・・・ビス
【図１】
0003153560.tif 000003
【図２】
0003153560.tif 000004
【図３】
0003153560.tif 000005
【図４】
0003153560.tif 000006
【図５】
0003153560.tif 000007
【図６】
0003153560.tif 000008
【図７】
0003153560.tif 000009
【図８】
0003153560.tif 000010
【図９】
0003153560.tif 000011
【図１０】
0003153560.tif 000012
【図１１】
0003153560.tif 000013